(57)【要約】【課題】専用定着装置の特性を十分に発揮させることができるとともに、定着装置の交換の作業性を向上させることのできる画像形成装置を提供すること。【解決手段】トナー画像を定着する第１定着装置と、第１定着装置を収納する収納部と、収納部の周辺に配置された周辺部材とを備え、収納部は、第１定着装置と、第１定着装置とは異なる仕様の第２定着装置とを交換して収納可能であり、収納部に収納された第１定着装置が第２定着装置に交換された場合、第２定着装置の仕様に従って周辺部材の状態を切り替えることで、専用定着装置の特性を十分に発揮させることができるとともに、定着装置の交換の作業性を向上させることのできる画像形成装置および画像形成システムを提供することができる。【選択図】図４
2012068560.tif 000002
【特許請求の範囲】
【請求項１】
画像データに基づくトナー画像を記録媒体に形成する画像形成部と、
前記画像形成部により形成されたトナー画像を定着する第１定着装置と
前記第１定着装置を収納する収納部とを備えた画像形成装置であって、
前記収納部は、前記第１定着装置と、前記第１定着装置とは異なる仕様の第２定着装置とを交換して収納可能であり、
前記収納部の周辺に配置され、前記第１定着装置または前記第２定着装置と連動して動作する周辺部材を備え
前記収納部に収納された前記第１定着装置が前記第２定着装置に交換された場合、前記第２定着装置の仕様に従って前記周辺部材の状態が切り替えられることを特徴とする画像形成装置。
【請求項２】
前記第１定着装置および前記第２定着装置は、それぞれ定着ローラを有し、
前記第１定着装置および前記第２定着装置の仕様は、前記定着ローラの形状、数および配置によって決定されることを特徴とする請求項１に記載の画像形成装置。
【請求項３】
前記周辺部材は、
前記定着ローラに風を送り込む送風部材と、
前記画像形成部から前記第１定着装置に搬送される記録媒体をガイドするために、前記第１定着装置よりも記録媒体の搬送方向上流側に配置された上流側ガイド部材と、
前記第１定着装置から搬送される記録媒体をガイドするために、前記第１定着装置よりも記録媒体の搬送方向下流側に配置された下流側ガイド部材と、
前記第１定着装置から搬送される記録媒体を加圧するために、前記第１定着装置よりも記録媒体の搬送方向下流側に配置された加圧部材との少なくとも何れか１つであることを特徴とする請求項２に記載の画像形成装置。
【請求項４】
前記周辺部材は、前記上流側ガイド部材であり、
前記収納部に収納された前記第１定着装置が前記第２定着装置に交換された場合、前記第２定着装置の仕様に従って前記上流側ガイド部材の位置または形状の少なくとも一方が切り替えられることを特徴とする請求項３に記載の画像形成装置。
【請求項５】
前記上流側ガイド部材は、記録媒体を下側から支持する下側進入ガイドであり、
前記収納部に収納された前記第１定着装置が前記第２定着装置に交換された場合、前記第２定着装置の仕様に従って前記下側進入ガイドの形状が該下側進入ガイドの中央部において記録媒体の搬送方向に直交する方向に突出する形状と平坦な形状との何れかに切り替えられることを特徴とする請求項４に記載の画像形成装置。
【請求項６】
前記周辺部材は、前記送風部材であり、
前記収納部に収納された前記第１定着装置が前記第２定着装置に交換された場合、前記第２定着装置の仕様に従って前記送風部材の位置または形状の少なくとも一方が前記第２定着装置の定着ローラに送風するように切り替えられることを特徴とする請求項３から５の何れか１項に記載の画像形成装置。
【請求項７】
前記周辺部材は、前記加圧部材であり、
前記収納部に収納された前記第１定着装置が前記第２定着装置に交換された場合、前記第２定着装置の仕様に従って記録媒体を加圧する前記加圧部材のニップ圧が切り替えられることを特徴とする請求項３から６の何れか１項に記載の画像形成装置。
【請求項８】
前記周辺部材は、前記下流側ガイド部材であり、
前記下流側ガイド部材は、前記第１定着装置から搬送される記録媒体を挟み込むようにガイドする第１下流側ガイド部材と第２下流側ガイド部材とを有し、
前記収納部に収納された前記第１定着装置が前記第２定着装置に交換された場合、前記第２定着装置の仕様に従って前記第１下流側ガイド部材と前記第２下流側ガイド部材との間隔が切り替えられることを特徴とする請求項３から７の何れか１項に記載の画像形成装置。
【請求項９】
前記収納部に収納された前記第１定着装置が前記第２定着装置に交換された場合、前記第２定着装置の仕様に従って前記画像形成装置の動作状態を制御する制御部を備えたことを特徴とする請求項１から８の何れか１項に記載の画像形成装置。
【請求項１０】
前記画像形成装置は、前記定着ローラに風を送り込む送風ファンを備え、
前記制御部は、前記収納部に収納された前記第１定着装置が前記第２定着装置に交換された場合、前記第２定着装置の仕様に従って前記送風ファンの動作状態を切り替えるように制御することを特徴とする請求項９に記載の画像形成装置。
【請求項１１】
前記制御部は、前記収納部に収納された前記第１定着装置が前記第２定着装置に交換された場合、前記第２定着装置の仕様に従って前記第２定着装置の定着ローラを加熱する加熱部の加熱量を制御することを特徴とする請求項９または１０に記載の画像形成装置。
【請求項１２】
前記制御部は、前記収納部に収納された前記第１定着装置が前記第２定着装置に交換された場合、前記第２定着装置の仕様に従って前記第２定着装置の定着ローラをクリーニングするクリーニングウェブの更新頻度を制御することを特徴とする請求項９から１１の何れか１項に記載の画像形成装置。
【請求項１３】
記録媒体を反転して搬送する反転モードと、記録媒体の両面にトナー画像を形成する両面印刷モードとの少なくとも何れか一方を選択するための選択部を備え、
前記制御部は、前記収納部に収納された前記第１定着装置が前記第２定着装置に交換された場合、前記第２定着装置の仕様に従って前記反転モードまたは前記両面印刷モードの選択を禁止するように前記選択部を制御することを特徴とする請求項９から１２の何れか１項に記載の画像形成装置。
【請求項１４】
画像データに基づくトナー画像を記録媒体に形成する画像形成部と、
前記画像形成部により形成されたトナー画像を定着する第１定着装置と、
前記第１定着装置を収納する収納部とを備えた画像形成装置であって、
前記収納部は、前記第１定着装置と、前記第１定着装置とは異なる仕様の第２定着装置とを交換して収納可能であり、
前記収納部に収納された前記第１定着装置が前記第２定着装置に交換された場合、前記第２定着装置の仕様に従って前記画像形成装置の動作状態を制御する制御部を備えたことを特徴とする画像形成装置。
【請求項１５】
前記第１定着装置および前記第２定着装置は、それぞれ定着ローラを有し、
前記第１定着装置および前記第２定着装置の仕様は、前記定着ローラの形状、数および配置によって決定されることを特徴とする請求項１４に記載の画像形成装置。
【請求項１６】
前記画像形成装置は、前記定着ローラに風を送り込む送風ファンを備え、
前記制御部は、前記収納部に収納された前記第１定着装置が前記第２定着装置に交換された場合、前記第２定着装置の仕様に従って前記送風ファンの動作状態を切り替えるように制御することを特徴とする請求項１５に記載の画像形成装置。
【請求項１７】
前記制御部は、前記収納部に収納された前記第１定着装置が前記第２定着装置に交換された場合、前記第２定着装置の仕様に従って前記第２定着装置の定着ローラを加熱する加熱部の加熱量を制御することを特徴とする請求項１５または１６に記載の画像形成装置。
【請求項１８】
前記制御部は、前記収納部に収納された前記第１定着装置が前記第２定着装置に交換された場合、前記第２定着装置の仕様に従って前記第２定着装置の定着ローラをクリーニングするクリーニングウェブの更新頻度を制御することを特徴とする請求項１５から１７の何れか１項に記載の画像形成装置。
【請求項１９】
記録媒体を反転して搬送する反転モードと、記録媒体の両面にトナー画像を形成する両面印刷モードとの少なくとも何れか一方を選択するための選択部を備え、
前記制御部は、前記収納部に収納された前記第１定着装置が前記第２定着装置に交換された場合、前記第２定着装置の仕様に従って前記反転モードまたは前記両面印刷モードの選択を禁止するように前記選択部を制御することを特徴とする請求項１４から１８の何れか１項に記載の画像形成装置。
【請求項２０】
前記収納部に収納された前記第１定着装置が前記第２定着装置に交換されたことを検知する検知部を備えることを特徴とする請求項１から１９の何れか１項に記載の画像形成装置。
【請求項２１】
画像データに基づくトナー画像を記録媒体に形成する画像形成部と、
前記画像形成部により形成されたトナー画像を定着する第１定着装置と、
前記第１定着装置を収納する収納部と、
前記収納部の周辺に配置された周辺部材とを備えた画像形成装置と、
前記画像形成部により形成されたトナー画像を定着する、前記第１定着装置とは異なる仕様の第２定着装置とを備えた画像形成システムであって、
前記収納部は、前記第１定着装置と、前記第２定着装置とを交換して収納可能であり、
前記収納部に収納された前記第１定着装置が前記第２定着装置に交換された場合、前記第２定着装置の仕様に従って前記周辺部材の状態が切り替えられることを特徴とする画像形成システム。
【請求項２２】
画像データに基づくトナー画像を記録媒体に形成する画像形成部と、
前記画像形成部により形成されたトナー画像を定着する第１定着装置と、
前記第１定着装置を収納する収納部とを備えた画像形成装置と、
前記画像形成部により形成されたトナー画像を定着する、前記第１定着装置とは異なる仕様の第２定着装置とを備えた画像形成システムであって、
前記収納部は、前記第１定着装置と、前記第１定着装置とは異なる仕様の第２定着装置とを交換して収納可能であり、
前記収納部に収納された前記第１定着装置が前記第２定着装置に交換された場合、前記第２定着装置の仕様に従って前記画像形成装置の動作状態を制御する制御部を備えたことを特徴とする画像形成システム。
【発明の詳細な説明】
【技術分野】
【０００１】
本発明は、画像形成装置および画像形成システムに関し、特に、定着装置が交換可能な画像形成装置および画像形成システムに関する。
【背景技術】
【０００２】
昨今、複写機やプリンタ等の電子写真方式の画像形成装置において、様々な用紙（特殊紙）に対応するために、通常の汎用定着装置以外に、各種特殊紙に対応した専用定着装置が用意され、特殊紙を通紙する場合は、定着装置を専用定着装置に交換することが行われている。
【０００３】
例えば、特許文献１には、粘度の異なるシリコンオイルが注入された２種類の定着装置を交換することで、光沢の異なる２種の画像のいずれかを出力する画像出力方法が開示されている。
【０００４】
また、例えば、特許文献２には、作像装置や定着装置等の画像形成機能の一部を有するサブシステムとプラットフォームとを組み合わせることで、画像形成に関する動作仕様をユーザの所望に従ってカスタマイズすることができる画像形成装置が開示されている。
【０００５】
しかし、定着装置が専用定着装置に交換された場合、画像形成装置の本体内の定着装置周辺の各部材（例えば、記録媒体の搬送用部材や定着装置の冷却用部材等）を、専用定着装置の動作に適した状態に切り替える必要があるが、特許文献１および２にはそれに関する記載がない。また、実際には、汎用定着装置での使用状態のままで専用定着装置が使用されることや、使用者が各部材を手動で切り替えていることが多い。
【先行技術文献】
【特許文献】
【０００６】
【特許文献１】特開２００４−０８６１０９号公報
【特許文献２】特開２００７−０６５５９８号公報
【発明の概要】
【発明が解決しようとする課題】
【０００７】
しかしながら、専用定着装置装着時に、定着装置周辺の各部材を汎用定着装置での使用状態のままで使用すると、各部材が専用定着装置に適合していないために、専用定着装置の特性を十分に発揮できない不具合が発生する。また、使用者が手動で切り替える方法では、定着装置の交換の作業性が悪く、また切り替え忘れによって専用定着装置の特性を十分に発揮できなくなる可能性がある。
【０００８】
本発明は、上記事情に鑑みてなされたもので、専用定着装置の特性を十分に発揮させることができるとともに、定着装置の交換の作業性を向上させることのできる画像形成装置を提供することを目的とする。
【課題を解決するための手段】
【０００９】
本発明の目的は、下記構成により達成することができる。
【００１０】
１．画像データに基づくトナー画像を記録媒体に形成する画像形成部と、
前記画像形成部により形成されたトナー画像を定着する第１定着装置と
前記第１定着装置を収納する収納部とを備えた画像形成装置であって、
前記収納部は、前記第１定着装置と、前記第１定着装置とは異なる仕様の第２定着装置とを交換して収納可能であり、
前記収納部の周辺に配置され、前記第１定着装置または前記第２定着装置と連動して動作する周辺部材を備え
前記収納部に収納された前記第１定着装置が前記第２定着装置に交換された場合、前記第２定着装置の仕様に従って前記周辺部材の状態が切り替えられることを特徴とする画像形成装置。
【００１１】
２．前記第１定着装置および前記第２定着装置は、それぞれ定着ローラを有し、
前記第１定着装置および前記第２定着装置の仕様は、前記定着ローラの形状、数および配置によって決定されることを特徴とする前記１に記載の画像形成装置。
【００１２】
３．前記周辺部材は、
前記定着ローラに風を送り込む送風部材と、
前記画像形成部から前記第１定着装置に搬送される記録媒体をガイドするために、前記第１定着装置よりも記録媒体の搬送方向上流側に配置された上流側ガイド部材と、
前記第１定着装置から搬送される記録媒体をガイドするために、前記第１定着装置よりも記録媒体の搬送方向下流側に配置された下流側ガイド部材と、
前記第１定着装置から搬送される記録媒体を加圧するために、前記第１定着装置よりも記録媒体の搬送方向下流側に配置された加圧部材との少なくとも何れか１つであることを特徴とする前記２に記載の画像形成装置。
【００１３】
４．前記周辺部材は、前記上流側ガイド部材であり、
前記収納部に収納された前記第１定着装置が前記第２定着装置に交換された場合、前記第２定着装置の仕様に従って前記上流側ガイド部材の位置または形状の少なくとも一方が切り替えられることを特徴とする前記３に記載の画像形成装置。
【００１４】
５．前記上流側ガイド部材は、記録媒体を下側から支持する下側進入ガイドであり、
前記収納部に収納された前記第１定着装置が前記第２定着装置に交換された場合、前記第２定着装置の仕様に従って前記下側進入ガイドの形状が該下側進入ガイドの中央部において記録媒体の搬送方向に直交する方向に突出する形状と平坦な形状との何れかに切り替えられることを特徴とする前記４に記載の画像形成装置。
【００１５】
６．前記周辺部材は、前記送風部材であり、
前記収納部に収納された前記第１定着装置が前記第２定着装置に交換された場合、前記第２定着装置の仕様に従って前記送風部材の位置または形状の少なくとも一方が前記第２定着装置の定着ローラに送風するように切り替えられることを特徴とする前記３から５の何れか１項に記載の画像形成装置。
【００１６】
７．前記周辺部材は、前記加圧部材であり、
前記収納部に収納された前記第１定着装置が前記第２定着装置に交換された場合、前記第２定着装置の仕様に従って記録媒体を加圧する前記加圧部材のニップ圧が切り替えられることを特徴とする前記３から６の何れか１項に記載の画像形成装置。
【００１７】
８．前記周辺部材は、前記下流側ガイド部材であり、
前記下流側ガイド部材は、前記第１定着装置から搬送される記録媒体を挟み込むようにガイドする第１下流側ガイド部材と第２下流側ガイド部材とを有し、
前記収納部に収納された前記第１定着装置が前記第２定着装置に交換された場合、前記第２定着装置の仕様に従って前記第１下流側ガイド部材と前記第２下流側ガイド部材との間隔が切り替えられることを特徴とする前記３から７の何れか１項に記載の画像形成装置。
【００１８】
９．前記収納部に収納された前記第１定着装置が前記第２定着装置に交換された場合、前記第２定着装置の仕様に従って前記画像形成装置の動作状態を制御する制御部を備えたことを特徴とする前記１から８の何れか１項に記載の画像形成装置。
【００１９】
１０．前記画像形成装置は、前記定着ローラに風を送り込む送風ファンを備え、
前記制御部は、前記収納部に収納された前記第１定着装置が前記第２定着装置に交換された場合、前記第２定着装置の仕様に従って前記送風ファンの動作状態を切り替えるように制御することを特徴とする前記９に記載の画像形成装置。
【００２０】
１１．前記制御部は、前記収納部に収納された前記第１定着装置が前記第２定着装置に交換された場合、前記第２定着装置の仕様に従って前記第２定着装置の定着ローラを加熱する加熱部の加熱量を制御することを特徴とする前記９または１０に記載の画像形成装置。
【００２１】
１２．前記制御部は、前記収納部に収納された前記第１定着装置が前記第２定着装置に交換された場合、前記第２定着装置の仕様に従って前記第２定着装置の定着ローラをクリーニングするクリーニングウェブの更新頻度を制御することを特徴とする前記９から１１の何れか１項に記載の画像形成装置。
【００２２】
１３．記録媒体を反転して搬送する反転モードと、記録媒体の両面にトナー画像を形成する両面印刷モードとの少なくとも何れか一方を選択するための選択部を備え、
前記制御部は、前記収納部に収納された前記第１定着装置が前記第２定着装置に交換された場合、前記第２定着装置の仕様に従って前記反転モードまたは前記両面印刷モードの選択を禁止するように前記選択部を制御することを特徴とする前記９から１２の何れか１項に記載の画像形成装置。
【００２３】
１４．画像データに基づくトナー画像を記録媒体に形成する画像形成部と、
前記画像形成部により形成されたトナー画像を定着する第１定着装置と、
前記第１定着装置を収納する収納部とを備えた画像形成装置であって、
前記収納部は、前記第１定着装置と、前記第１定着装置とは異なる仕様の第２定着装置とを交換して収納可能であり、
前記収納部に収納された前記第１定着装置が前記第２定着装置に交換された場合、前記第２定着装置の仕様に従って前記画像形成装置の動作状態を制御する制御部を備えたことを特徴とする画像形成装置。
【００２４】
１５．前記第１定着装置および前記第２定着装置は、それぞれ定着ローラを有し、
前記第１定着装置および前記第２定着装置の仕様は、前記定着ローラの形状、数および配置によって決定されることを特徴とする前記１４に記載の画像形成装置。
【００２５】
１６．前記画像形成装置は、前記定着ローラに風を送り込む送風ファンを備え、
前記制御部は、前記収納部に収納された前記第１定着装置が前記第２定着装置に交換された場合、前記第２定着装置の仕様に従って前記送風ファンの動作状態を切り替えるように制御することを特徴とする前記１５に記載の画像形成装置。
【００２６】
１７．前記制御部は、前記収納部に収納された前記第１定着装置が前記第２定着装置に交換された場合、前記第２定着装置の仕様に従って前記第２定着装置の定着ローラを加熱する加熱部の加熱量を制御することを特徴とする前記１５または１６に記載の画像形成装置。
【００２７】
１８．前記制御部は、前記収納部に収納された前記第１定着装置が前記第２定着装置に交換された場合、前記第２定着装置の仕様に従って前記第２定着装置の定着ローラをクリーニングするクリーニングウェブの更新頻度を制御することを特徴とする前記１５から１７の何れか１項に記載の画像形成装置。
【００２８】
１９．記録媒体を反転して搬送する反転モードと、記録媒体の両面にトナー画像を形成する両面印刷モードとの少なくとも何れか一方を選択するための選択部を備え、
前記制御部は、前記収納部に収納された前記第１定着装置が前記第２定着装置に交換された場合、前記第２定着装置の仕様に従って前記反転モードまたは前記両面印刷モードの選択を禁止するように前記選択部を制御することを特徴とする前記１４から１８の何れか１項に記載の画像形成装置。
【００２９】
２０．前記収納部に収納された前記第１定着装置が前記第２定着装置に交換されたことを検知する検知部を備えることを特徴とする前記１から１９の何れか１項に記載の画像形成装置。
【００３０】
２１．画像データに基づくトナー画像を記録媒体に形成する画像形成部と、
前記画像形成部により形成されたトナー画像を定着する第１定着装置と、
前記第１定着装置を収納する収納部と、
前記収納部の周辺に配置された周辺部材とを備えた画像形成装置と、
前記画像形成部により形成されたトナー画像を定着する、前記第１定着装置とは異なる仕様の第２定着装置とを備えた画像形成システムであって、
前記収納部は、前記第１定着装置と、前記第２定着装置とを交換して収納可能であり、
前記収納部に収納された前記第１定着装置が前記第２定着装置に交換された場合、前記第２定着装置の仕様に従って前記周辺部材の状態が切り替えられることを特徴とする画像形成システム。
【００３１】
２２．画像データに基づくトナー画像を記録媒体に形成する画像形成部と、
前記画像形成部により形成されたトナー画像を定着する第１定着装置と、
前記第１定着装置を収納する収納部とを備えた画像形成装置と、
前記画像形成部により形成されたトナー画像を定着する、前記第１定着装置とは異なる仕様の第２定着装置とを備えた画像形成システムであって、
前記収納部は、前記第１定着装置と、前記第１定着装置とは異なる仕様の第２定着装置とを交換して収納可能であり、
前記収納部に収納された前記第１定着装置が前記第２定着装置に交換された場合、前記第２定着装置の仕様に従って前記画像形成装置の動作状態を制御する制御部を備えたことを特徴とする画像形成システム。
【発明の効果】
【００３２】
本発明によれば、トナー画像を定着する第１定着装置と、第１定着装置を収納する収納部と、収納部の周辺に配置された周辺部材とを備え、収納部は、第１定着装置と、第１定着装置とは異なる仕様の第２定着装置とを交換して収納可能であり、収納部に収納された第１定着装置が第２定着装置に交換された場合、第２定着装置の仕様に従って周辺部材の状態を切り替えることで、専用定着装置の特性を十分に発揮させることができるとともに、定着装置の交換の作業性を向上させることのできる画像形成装置および画像形成システムを提供することができる。
【００３３】
また、本発明によれば、トナー画像を定着する第１定着装置と、第１定着装置を収納する収納部とを備え、収納部は、第１定着装置と、第１定着装置とは異なる仕様の第２定着装置とを交換して収納可能であり、収納部に収納された第１定着装置が第２定着装置に交換された場合、第２定着装置の仕様に従って画像形成装置の動作状態を制御する制御部を備えたことで、専用定着装置の特性を十分に発揮させることができるとともに、定着装置の交換の作業性を向上させることのできる画像形成装置および画像形成システムを提供することができる。
【図面の簡単な説明】
【００３４】
【図１】画像形成装置および画像形成システムの構成例を示すブロック図である。
【図２】定着装置が交換されたか否かの判断を行う方法の一例を示す模式図である。
【図３】周辺部材の構成を示す模式図である。
【図４】実施の形態における定着装置の交換時の動作を説明するためのフローチャートである。
【図５】定着装置が交換されて、収納部に汎用定着部が収納された場合の動作を示すフローチャートである。
【図６】汎用定着部の構成と、周辺部材の状態とを示す模式図である。
【図７】定着装置が交換されて、収納部に封筒用定着部が収納された場合の動作を示すフローチャートである。
【図８】封筒用定着部の構成と、周辺部材の状態とを示す模式図である。
【図９】定着装置が交換されて、収納部に葉書用定着部が収納された場合の動作を示すフローチャートである。
【図１０】葉書用定着部の構成と、周辺部材の状態とを示す模式図である。
【図１１】定着装置が交換されて、収納部に立体コピー用定着部が収納された場合の動作を示すフローチャートである。
【図１２】立体コピー用定着部の構成と、周辺部材の状態とを示す模式図である。
【図１３】リンク機構による下側進入ガイドの形状切り替え方法の一例を示す模式図である。
【図１４】リンク機構による下側進入ガイドの形状切り替え方法の他の例を示す模式図である。
【発明を実施するための形態】
【００３５】
以下、本発明を図示の実施の形態に基づいて説明するが、本発明は該実施の形態に限らない。なお、図中、同一あるいは同等の部分には同一の番号を付与し、重複する説明は省略することがある。
【００３６】
最初に、本発明の実施の形態における画像形成装置および画像形成システムの構成例について、図１を用いて説明する。図１は、画像形成装置および画像形成システムの構成例を示すブロック図である。
【００３７】
図１において、画像形成装置１０は、筐体１００、画像読取部２００、表示部３００、操作部４００、インターフェース部（以下、Ｉ／Ｆ部という）５００等で構成される。筐体１００は、記録媒体Ｓ上に画像を形成するための各部を搭載する。画像読取部２００は、所謂スキャナであり、光学的に画像を読み取り、読み取った画像を光電変換することで画像データを生成する。
【００３８】
表示部３００は、例えば液晶パネル等で構成され、操作部４００で操作された内容や画像形成装置１０の動作状況等を表示する。操作部４００は、例えば表示部３００の周辺に配置されたキーボードやスイッチ、あるいは表示部３００上に配置されたタッチパネル等で構成され、ユーザが画像形成装置１０の動作モードや画像形成枚数等の設定や入力等の操作を行うためのものである。Ｉ／Ｆ部５００は、画像形成装置１０と接続された外部機器との間で画像データ等の情報をやりとりする。
【００３９】
筐体１００内には、画像形成部１１０、記録媒体搬送部１２０、第１定着装置１３０、記録媒体排出部１４０、制御部１５０、電源部１６０等が搭載される。第１定着装置１３０は、例えば図の紙面に垂直な方向に引き出し、あるいは押し込むことで、筐体１００内の収納部１７０に着脱可能に収納される。収納部１７０の周辺には、定着に関連する周辺部材１８０が配置されている。
【００４０】
画像形成部１１０は、画像読取部２００で読み取られた画像データ、あるいはＩ／Ｆ部５００を介して外部機器から入力された画像データに基づくトナー画像を記録媒体Ｓ上に形成する。記録媒体搬送部１２０は、記録媒体Ｓを搬送する。第１定着装置１３０は、画像形成部１１０により形成されたトナー画像を定着する。記録媒体排出部１４０は、第１定着装置１３０でトナー画像が定着された記録媒体Ｓを筐体１００外に排出する。制御部１５０は、画像形成装置１０の動作を制御する。電源部１６０は、画像形成装置１０の各部に電力を供給する。
【００４１】
画像形成システム１は、上述した画像形成装置１０と、第１定着装置１３０とは異なる仕様の第２定着装置１９０等とで構成される。第２定着装置１９０は、第１定着装置１３０と互換性があり、第１定着装置１３０と交換して、画像形成装置１０の筐体１００内の収納部１７０に着脱可能に収納することができる。第２定着装置１９０は１種類である必要はなく、第１定着装置１３０とは異なる仕様の複数の定着装置であってもよい。
【００４２】
ここに、第１定着装置１３０の仕様および第２定着装置１９０の仕様は、後述する定着ローラの形状、数および配置によって決定される。仕様の詳細については、図６以降で述べる。
【００４３】
次に、本発明の実施の形態における画像形成装置での定着装置の交換の判断について、図２を用いて説明する。図２は、定着装置が交換されたか否かの判断を行う方法の一例を示す模式図で、図２（ａ）および図２（ｂ）は第１定着装置が取り外される状態を示し、図２（ｃ）および図２（ｄ）は第２定着装置が取り付けられる状態を示す。ここでは、第１定着装置として図６で後述する汎用定着部を、第２定着装置として図８で後述する封筒用定着部を例にとって説明する。
【００４４】
図２（ａ）において、汎用定着部６００は、収納部１７０のガイドレール１７１によって支持されて、収納部１７０に着脱可能に収納されている。収納部１７０には、定着装置が交換されたか否かの判断を行うための検知部１７２として、例えばフォトリフレクタ等で構成される交換センサ１７２ａと種類センサ１７２ｂとが備えられている。
【００４５】
交換センサ１７２ａは、汎用定着部６００あるいは封筒用定着部６１０が正規の位置に収納されている場合に、汎用定着部６００あるいは封筒用定着部６１０を検知する位置に取り付けられている。種類センサ１７２ｂは、後述するように、封筒用定着部６１０が正規の位置に収納されている場合に、封筒用定着部６１０の種類判別板６１９を検知できる位置に取り付けられている。
【００４６】
即ち、図２（ａ）の状態では、検知部１７２は、交換センサ１７２ａによって、汎用定着部６００あるいは封筒用定着部６１０の何れかが正規の収納位置に収納されており、種類センサ１７２ｂによって、収納されているのが汎用定着部６００であることを検知していることになる。
【００４７】
図２（ｂ）において、汎用定着部６００がガイドレール１７１に沿って矢印Ｌ方向に引き出されると、交換センサ１７２ａが汎用定着部６００を検知できなくなる。これによって、汎用定着部６００が取り外されたことが検知される。
【００４８】
図２（ｃ）において、封筒用定着部６１０には、封筒用定着部６１０が正規の収納位置に収納されている場合に種類センサ１７２ｂの光路を遮る位置に、種類判別板６１９が設けられている。
【００４９】
従って、封筒用定着部６１０がガイドレール１７１に沿って矢印Ｒ方向に取り付けられて、図２（ｄ）に示す正規の位置に収納されると、検知部１７２は、交換センサ１７２ａによって、汎用定着部６００あるいは封筒用定着部６１０の何れかが正規の位置に収納されており、種類センサ１７２ｂによって、収納されているのが封筒用定着部６１０であることを検知する。即ち定着装置が交換されたことを判断することができる。
【００５０】
逆に、収納部１７０に収納されていた封筒用定着部６１０が、汎用定着部６００に交換された場合も、図２（ｄ）の状態が図２（ａ）の状態に変化するので、検知部１７２によって交換を検知することができる。
【００５１】
もし、図２（ｂ）で取り外された汎用定着部６００が再度取り付けられた場合には、汎用定着部６００が正規の位置に収納されると、図２（ａ）の状態に戻ることになる。よって、検知部１７２は、取り外された汎用定着部６００が再度取り付けられて、元に戻ったことを検知することができる。同様に、封筒用定着部６１０が取り外されて再度取り付けられた場合も、検知することができる。
【００５２】
３つ以上の定着装置の種類を判別する場合は、例えば種類判別板６１９の長さや取り付け高さを複数にして、複数の種類センサ１７２ｂを設けてそれらを検出することで、複数の種類を判別する方法等が考えられる。
【００５３】
図２では、検知部１７２として交換センサ１７２ａと種類センサ１７２ｂとが備えられている例を示したが、これに限るものではない。例えば、汎用定着部６００および封筒用定着部６１０のそれぞれに、その種類や仕様を示すバーコードや２次元コードが、例えば正規の収納位置で交換センサ１７２ａに対抗する位置に添付されており、収納部１７０の交換センサ１７２ａの位置に備えられたコード読み取り装置でコードを読み取ることで、定着装置の交換を判断することでもよい。
【００５４】
また、汎用定着部６００および封筒用定着部６１０のそれぞれに、その種類や仕様を示すＩＣタグが備えられており、収納部１７０に備えられた読み取り装置でタグ情報を読み取ることで、定着装置の交換を判断することでもよい。
【００５５】
バーコードや２次元コード、ＩＣタグによる判別方法は、特に３つ以上の定着装置の種類を判別する場合に有効である。
【００５６】
さらに、上述したような電気的な検知を行わず、リンク機構等を用いた機械的な動作によって、定着装置の交換に伴って必要となる動作を行わせることも可能である。詳細な例は、図１３、図１４で述べる。
【００５７】
次に、図１に示した収納部の周辺に配置されている周辺部材の構成について、図３を用いて説明する。図３は、周辺部材の構成を示す模式図で、図３（ａ）は記録媒体の印字面側から見た上面図、図３（ｂ）は記録媒体の側面側から見た側面図、図３（ｃ）および（ｄ）は周辺部材の一部である下側進入ガイドの形状を示す模式図である。
【００５８】
図３（ａ）において、収納部１７０の上部には、収納部１７０に収納された定着装置の定着ローラの一部または全部を冷却するための一対の送風部材１８７が備えられている。一対の送風部材１８７は、それぞれ、送風ファン１８７ａ、第１送風口１８７ｂ、第２送風口１８７ｃおよび送風ダクト１８７ｄ等で構成されている。
【００５９】
送風ダクト１８７ｄは例えば蛇腹等で構成されており、図示しないリンク機構あるいは電動機構等の駆動機構により回転、屈曲等されることで、少なくとも第１送風口１８７ｂの位置を基準位置と複数の所定の位置とに切り替え可能に構成されている。第２送風口１８７ｃは、例えば送風ダクト１８７ｄに備えられた図示しないシャッタ機構によって開閉可能に構成されている。また、送風ファン１８７ａは、制御部１５０によって、少なくとも送風状態と停止状態とに切り替え可能に構成されている。
【００６０】
図３（ｂ）において、周辺部材１８０は、上述した送風部材１８７に加えて、上流側ガイド部材１８１、下流側ガイド部材１８３および加圧部材１８５等で構成されている。
【００６１】
上流側ガイド部材１８１は、図１で示した画像形成部１１０から収納部１７０に収納された定着装置に向けて搬送される記録媒体Ｐをガイドするために、収納部１７０よりも記録媒体Ｐの搬送方向（矢印Ａ）上流側に配置され、下側進入ガイド１８１ａ、上側進入ガイド１８１ｂおよび爪車ガイド１８１ｃ等で構成される。
【００６２】
下側進入ガイド１８１ａは、画像形成部１１０から収納部１７０に収納された定着装置に搬送される記録媒体Ｐを、下側から支持するガイド板である。その形状は、少なくとも、図３（ｃ）に示すような、記録媒体Ｐの搬送方向（矢印Ａ）と記録媒体Ｐの印字面Ｐａとに直交する方向に中央部が突出する形状と、図３（ｄ）に示すような平坦な形状とに、図示しないリンク機構あるいは電動機構等の駆動機構によって切り替え可能に構成されている。
【００６３】
また、その位置も、基準位置、基準位置よりも記録媒体Ｐの搬送路に近い位置および記録媒体Ｐの搬送路から遠い位置の少なくとも３つの位置に、図示しないリンク機構あるいは電動機構等の駆動機構によって切り替え可能に構成されている。
【００６４】
上側進入ガイド１８１ｂおよび爪車ガイド１８１ｃは、記録媒体Ｐの位置および形状を上側から規制するもので、これにより、記録媒体Ｐにカール等があっても、収納部１７０に収納された定着装置内に進入させることができる。
【００６５】
爪車ガイド１８１ｃの位置は、基準位置、基準位置よりも記録媒体Ｐの搬送路に近い位置および記録媒体Ｐの搬送路から遠い位置の少なくとも３つの位置に、図示しないリンク機構あるいは電動機構等の駆動機構によって切り替え可能に構成されている。
【００６６】
下流側ガイド部材１８３は、収納部１７０に収納された定着装置から排出された記録媒体Ｐを加圧部材１８５に導くために、収納部１７０よりも記録媒体Ｐの搬送方向下流側に配置された、所定の間隔を持つ一対のガイド板である。下流側ガイド部材１８３の所定の間隔は、少なくとも基準間隔と基準間隔よりも広い間隔とに、図示しないリンク機構あるいは電動機構等の駆動機構によって切り替え可能に構成されている。
【００６７】
加圧部材１８５は、収納部１７０に収納された定着装置から排出された記録媒体Ｐのカールを矯正するために所定のニップ圧で加圧するローラ対で、収納部１７０よりも記録媒体Ｐの搬送方向下流側に配置される。一般的に、この加圧部材１８５はデカーラと称されている。加圧部材１８５のニップ圧は、基準ニップ圧、基準ニップ圧よりも高圧の高ニップ圧、基準ニップ圧よりも低圧の低ニップ圧およびニップ解除の少なくとも４つの状態の何れかに、図示しないリンク機構あるいは電動機構等の駆動機構によって切り替え可能に構成されている。
【００６８】
次に、本発明の実施の形態について、図４から図１２を用いて説明する。
【００６９】
図４は、実施の形態における定着装置の交換時の動作を説明するためのフローチャートである。ここでは、４種類の定着装置が交換可能な画像形成システムについて説明する。４種類の定着装置とは、汎用に用いられる汎用定着部６００（図６参照）と、専用定着装置である、封筒の上に形成されたトナー画像を定着する封筒用定着部６１０（図８参照）、葉書の上に形成されたトナー画像を定着する葉書用定着部６２０（図１０参照）および立体コピー紙の上に形成されたトナー画像を定着する立体コピー用定着部６３０（図１２参照）とである。
【００７０】
図４において、ステップＳ０１で、画像形成装置１０の筐体１００内の収納部１７０に収納されている定着装置が取り外されたか否かが、例えば図２に示した交換センサ１７２ａによって確認される。
【００７１】
取り外されなければ（ステップＳ０１；Ｎｏ）、ステップＳ０２で、収納部１７０に収納されている定着装置の種類、即ち上述した４種類の何れが収納されているかが、例えば図２に示した種類センサ１７２ｂによって検知され、記憶される。定着装置が取り外されるまで、ステップＳ０１とＳ０２とが繰り返される。
【００７２】
定着装置が取り外されれば（ステップＳ０１；Ｙｅｓ）、ステップＳ０３で、定着装置が取り付けられたか否かが、例えば図２に示した交換センサ１７２ａによって確認される。定着装置が取り付けられるまで、ステップＳ０３が繰り返される。
【００７３】
定着装置が取り付けられれば（ステップＳ０３；Ｙｅｓ）、ステップＳ０４で、取り付けられた定着装置の種類、即ち上述した４種類の何れが取り付けられたかが、種類センサ１７２ｂによって検知される。
【００７４】
ステップＳ０５で、ステップＳ０２で検知された定着装置の種類と、ステップＳ０４で検知された定着装置の種類とが比較され、定着装置が異なる種類のものと交換されたか否かが確認される。
【００７５】
定着装置が異なる種類のものと交換されていない場合（ステップＳ０５；Ｎｏ）、取り外された定着装置が元に戻されただけであるので、そのまま動作が終了される。定着装置が異なる種類のものと交換された場合（ステップＳ０５；Ｙｅｓ）、ステップＳ０６で、交換された定着装置が汎用定着部６００であるか否かが確認される。交換された定着装置が汎用定着部６００であった場合（ステップＳ０６；Ｙｅｓ）、ステップＳ２０「汎用サブルーチン」が実行され、一連の動作が終了される。
【００７６】
交換された定着装置が汎用定着部６００でない場合（ステップＳ０６；Ｎｏ）、ステップＳ０７で、交換された定着装置が封筒用定着部６１０であるか否かが確認される。交換された定着装置が封筒用定着部６１０であった場合（ステップＳ０７；Ｙｅｓ）、ステップＳ３０「封筒用サブルーチン」が実行され、一連の動作が終了される。
【００７７】
交換された定着装置が封筒用定着部６１０でない場合（ステップＳ０７；Ｎｏ）、ステップＳ０８で、交換された定着装置が葉書用定着部６２０であるか否かが確認される。交換された定着装置が葉書用定着部６２０であった場合（ステップＳ０８；Ｙｅｓ）、ステップＳ４０「葉書用サブルーチン」が実行され、一連の動作が終了される。
【００７８】
交換された定着装置が葉書用定着部６２０でない場合（ステップＳ０８；Ｎｏ）、ステップＳ０９で、交換された定着装置が立体コピー用定着部６３０であるか否かが確認される。交換された定着装置が立体コピー用定着部６３０であった場合（ステップＳ０９；Ｙｅｓ）、ステップＳ５０「立体コピー用サブルーチン」が実行され、一連の動作が終了される。
【００７９】
交換された定着装置が立体コピー用定着部６３０でない場合（ステップＳ０９；Ｎｏ）、４種類の定着装置の何れでもないものに交換されたことになるので、ステップＳ１０「エラー処理サブルーチン」に進み、例えば表示部３００に異常警告表示を行ったり、ネットワークを介して画像形成装置１０のメンテナンスを依頼したり等のエラー処理が行われ、一連の動作が終了される。
【００８０】
次に、ステップＳ２０「汎用サブルーチン」について、図５および図６を用いて説明する。図５は、定着装置が交換されて、収納部に汎用定着部が収納された場合の動作を示すフローチャートである。また、図６は、汎用定着部の構成と、周辺部材の状態とを示す模式図で、図６（ａ）は記録媒体の印字面側から見た上面図、図６（ｂ）は記録媒体の側面側から見た側面図、図６（ｃ）は周辺部材を構成する下側進入ガイドの形状を示す模式図である。
【００８１】
まず、汎用定着部６００の構成について、図６を用いて説明する。
【００８２】
図６において、汎用定着部６００は、コピー用紙等の一般の記録媒体Ｐの定着に用いられる定着装置であり、一対の定着ローラ６０１（６０１ａおよび６０１ｂ）、クリーニングウェブ６０３、排出ガイド６０４、下側導入板６０５、上側導入板６０６および導入爪車６０７等で構成される。汎用定着部６００の仕様は、一対の定着ローラ６０１の形状、数および配置によって決定される。
【００８３】
一対の定着ローラ６０１は、少なくともその一方（６０１ａ）の内部に加熱ヒータを有し、ローラ６０１ａとローラ６０１ｂとのニップに記録媒体Ｐを狭持し、図の矢印方向に回転しながら記録媒体Ｐに加熱、加圧することで、記録媒体Ｐの印字面Ｐａ上にトナー像Ｔを定着させるもので、定着可能な記録媒体Ｐの最大幅以上の長さを有し、記録媒体Ｐの搬送方向（矢印Ａ）に直交する方向に配置されている。
【００８４】
クリーニングウェブ６０３は、ロール状に巻かれた紙や布等を定着ローラ６０１に圧接し、所定の速度で巻き取りながら定着ローラ６０１上の残存トナー等の汚れを除去する清掃手段である。ここでは、クリーニングウェブ６０３は、記録媒体Ｐの印字面Ｐａ側にある定着ローラ６０１ａに接して設けられている。
【００８５】
排出ガイド６０４は、定着ローラ６０１で定着された記録媒体Ｐを、汎用定着部６００から外部に排出するためのガイド板である。
【００８６】
下側導入板６０５、上側導入板６０６および導入爪車６０７は、記録媒体Ｐを定着ローラ６０１のニップ部に導入するためのガイドである。下側導入板６０５は、記録媒体Ｐを下側から支持する板で、図６（ｃ）で後述する下側進入ガイド１８１ａと同様に、記録媒体Ｐの搬送方向（矢印Ａ）と記録媒体Ｐの印字面Ｐａとに直交する方向に中央部が突出する形状に形成されている。
【００８７】
上側導入板６０６および導入爪車６０７は、記録媒体Ｐの位置および形状を上側から規制することで、記録媒体Ｐにカール等があっても、記録媒体Ｐを定着ローラ６０１のニップ部に導入することができる。
【００８８】
図５において、図４のステップＳ０６で、収納部１７０に交換されて収納された定着装置が汎用定着部６００であると判断される（ステップＳ０６；Ｙｅｓ）と、ステップＳ２０「汎用サブルーチン」で、周辺部材１８０、汎用定着部６００内部および画像形成装置１０の各状態が、汎用定着部６００に適した状態に切り替えられる。
【００８９】
ステップＳ２０１からステップＳ２０６までは、周辺部材１８０の状態を汎用定着部６００に適した状態に切り替えるステップである。
【００９０】
まず、ステップＳ２０１で、図６（ａ）に示すように、送風部材１８７の第１送風口１８７ｂの位置が、図３で説明した基準位置に切り替えられるとともに、第２送風口１８７ｃが、送風ダクト１８７ｄに設けられた図示しないシャッタ等によって閉鎖される。ここに、基準位置は、第１送風口１８７ｂが定着ローラ６０１の両端部の上に開口する位置である。
【００９１】
続いて、ステップＳ２０２で、送風部材１８７の送風ファン１８７ａが送風状態に切り替えられ、送風が開始される。
【００９２】
これによって、大判の記録媒体Ｐを定着する場合以外に定着に用いられる機会が少ないために、定着ローラ６０１の中央部に比べて過熱しがちな両端部のみを冷却することができる。
【００９３】
ステップＳ２０３で、図３で説明した下側進入ガイド１８１ａの形状が、図６（ｃ）に示す記録媒体Ｐの搬送方向（矢印Ａ）と記録媒体Ｐの印字面Ｐａとに直交する方向に中央部が突出する形状に切り替えられるとともに、下側進入ガイド１８１ａの位置が、図３で説明した基準位置に切り替えられる。
【００９４】
ステップＳ２０４で、爪車ガイド１８１ｃの位置が、図３で説明した基準位置に切り替えられる。
【００９５】
ステップＳ２０５で、下流側ガイド部材１８３の間隔が、図３で説明した基準間隔に切り替えられる。
【００９６】
ステップＳ２０６で、加圧部材１８５のニップ圧が、図３で説明した基準ニップ圧（例えば、５０Ｎ）に切り替えられる。
【００９７】
ステップＳ２０７からステップＳ２１０までは、汎用定着部６００内部および画像形成装置１０の各状態を汎用定着部６００に適した状態に切り替えるステップである。
【００９８】
ステップＳ２０７で、制御部１５０により、画像形成装置１０の動作モードの内の「両面印刷モード」の選択を許可するように制御が切り替えられ、操作部４００を用いた「両面印刷モード」の選択が可能となる。
【００９９】
ステップＳ２０８で、制御部１５０により、画像形成装置１０の動作モードの内の「反転排紙モード」の選択を許可するように制御が切り替えられ、操作部４００を用いた「反転排紙モード」の選択が可能となる。
【０１００】
ステップＳ２０９で、制御部１５０により、定着ローラ６０１の定着温度が標準的な温度（例えば２００℃）に設定され、温度制御される。
【０１０１】
ステップＳ２１０で、クリーニングウェブ６０３の更新頻度が標準的な頻度、具体的には、クリーニングウェブ６０３のロールの巻き取り速度が標準的な速度に設定されて、図４のステップＳ２０「汎用サブルーチン」に戻る。上述した各ステップにより、周辺部材１８０、汎用定着部６００内部および画像形成装置１０の各状態が、汎用定着部６００に適した状態に切り替えられたことになる。
【０１０２】
次に、ステップＳ３０「封筒用サブルーチン」について、図７および図８を用いて説明する。図７は、定着装置が交換されて、収納部に封筒用定着部が収納された場合の動作を示すフローチャートである。また、図８は、封筒用定着部の構成と、周辺部材の状態とを示す模式図で、図８（ａ）は記録媒体である封筒の印字面側から見た上面図、図８（ｂ）は封筒の側面側から見た側面図、図８（ｃ）は下側進入ガイドの形状を示す模式図である。
【０１０３】
まず、封筒用定着部６１０の構成について、図８を用いて説明する。
【０１０４】
図８において、封筒用定着部６１０は、記録媒体Ｐとしての封筒Ｅの印字面Ｅａ上に形成されたトナー像Ｔの定着に用いられる専用の定着装置であり、二対の第１定着ローラ６１１、一対の第２定着ローラ６１２、排出ガイド６１４および図示しないクリーニングウェブ６１３等で構成される。この他に、汎用定着部６００と同様の機能を有する図示しない下側導入板６１５、上側導入板６１６および導入爪車６１７等を有していてもよい。封筒用定着部６１０の仕様は、二対の第１定着ローラ６１１および一対の第２定着ローラ６１２の形状、数および配置によって決定される。
【０１０５】
二対の第１定着ローラ６１１（それぞれが６１１ａおよび６１１ｂ等で構成されている）は、汎用定着部６００の定着ローラ６０１よりも短寸で、封筒Ｅの搬送方向（矢印Ａ）に対してハの字に傾いた所謂千鳥配置されている。二対の第１定着ローラ６１１は、それぞれ、少なくともその一方（６１１ａ）の内部に加熱ヒータを有し、ローラ６１１ａとローラ６１１ｂとのニップに封筒Ｅを狭持し、図の矢印方向に回転しながら封筒Ｅに加熱、加圧することで、封筒Ｅ印字面Ｅａ上にトナー像Ｔを定着させる。
【０１０６】
一対の第２定着ローラ６１２（６１２ａおよび６１２ｂ）は、同じく汎用定着部６００の定着ローラ６０１よりも短寸で、封筒Ｅの搬送方向（矢印Ａ）中央に搬送方向（矢印Ａ）と直交する方向に配置されている。第２定着ローラ６１２も、少なくともその一方（６１２ａ）の内部に加熱ヒータを有し、ローラ６１２ａとローラ６１２ｂとのニップに封筒Ｅを狭持し、図の矢印方向に回転しながら封筒Ｅに加熱、加圧することで、封筒Ｅ印字面Ｅａ上にトナー像Ｔを定着させる。
【０１０７】
二対の第１定着ローラ６１１と一対の第２定着ローラ６１２とは、図８（ａ）に示すように、封筒Ｅの搬送方向（矢印Ａ）から見た時に、各々の定着範囲が重なるように配置されている。このように配置することで、定着時に封筒Ｅ内に空気が残留して、封筒Ｅに皺が寄ることを防止できる。なお、封筒用定着部６１０での各定着ローラのニップ圧の一例は、１６７Ｎである。
【０１０８】
２本の第１定着ローラ６１１ａと第２定着ローラ６１２ａとには、それぞれ、図面を見やすくするために図示を省略したクリーニングウェブ６１３が設けられている。クリーニングウェブ６１３は、図６で説明したクリーニングウェブ６０３と同じものである。
【０１０９】
排出ガイド６１４は、第１定着ローラ６１１と第２定着ローラ６１２とで定着された封筒Ｅを、封筒用定着部６１０から外部に排出するためのガイド板で、所定の間隔で配置された２枚の板で構成される。
【０１１０】
図７において、図４のステップＳ０７で、収納部１７０に交換されて収納された定着装置が封筒用定着部６１０であると判断される（ステップＳ０７；Ｙｅｓ）と、ステップＳ３０「封筒用サブルーチン」で、周辺部材１８０、封筒用定着部６１０内部および画像形成装置１０の各状態が、封筒用定着部６１０に適した状態に切り替えられる。
【０１１１】
ステップＳ３０１からステップＳ３０６までは、周辺部材１８０の状態を封筒用定着部６１０に適した状態に切り替えるステップである。
【０１１２】
まず、ステップＳ３０１で、送風部材１８７の第１送風口１８７ｂの位置が、図８（ａ）に示す二対の第１定着ローラ６１１のそれぞれの上に開口する位置に切り替えられる。同時に、第２送風口１８７ｃが、例えば送風ダクト１８７ｄに設けられた図示しないシャッタ等によって閉鎖される。
【０１１３】
続いて、ステップＳ３０２で、制御部１５０によって、送風部材１８７の送風ファン１８７ａが送風状態に切り替えられ、送風が開始される。
【０１１４】
これによって、大判の封筒Ｅを定着する以外は定着に用いられる機会が少ないために、第２定着ローラ６１２に比べて過熱しがちな第１定着ローラ６１１の両端部を冷却することができる。
【０１１５】
ステップＳ３０３で、下側進入ガイド１８１ａの形状が、図８（ｃ）に示す平坦な形状へと切り替えられる。これによって、下側進入ガイド１８１ａ上を封筒Ｅが搬送される時に、汎用の記録媒体Ｐに比べて紙質の硬い封筒Ｅが浮き上がることを防止できる。下側進入ガイド１８１ａの位置は、汎用定着部６００の場合と同じく、図３で説明した基準位置である。
【０１１６】
ステップＳ３０４で、爪車ガイド１８１ｃの位置が、図３で説明した基準位置よりも封筒Ｅの搬送路に近い位置に切り替えられる。これによって、封筒Ｅの搬送時に、封筒Ｅが上側進入ガイド１８１ｂに当接する所謂腹ズリを防止することができる。
【０１１７】
ステップＳ３０５で、下流側ガイド部材１８３の間隔が、図３で説明した基準間隔に切り替えられる。
【０１１８】
ステップＳ３０６で、加圧部材１８５のニップが解除される、あるいは、低ニップ圧（例えば、２５Ｎ）の状態へと切り替えられる。汎用の記録媒体Ｐに比べて、封筒Ｅはカールの量が少ないためである。
【０１１９】
ステップＳ３０７からステップＳ３１０までは、封筒用定着部６１０内部および画像形成装置１０の各状態を封筒用定着部６１０に適した状態に切り替えるステップである。
【０１２０】
ステップＳ３０７で、制御部１５０により、画像形成装置１０の動作モードの内の「両面印刷モード」の選択を禁止するように制御が切り替えられ、操作部４００を用いた「両面印刷モード」の選択が不可能となる。それとともに、制御部１５０により、例えば表示部３００に、「両面印刷モード」の選択を禁止する旨の表示が行われる。
【０１２１】
ステップＳ３０８で、制御部１５０により、画像形成装置１０の動作モードの内の「反転排紙モード」の選択を禁止するように制御が切り替えられ、操作部４００を用いた「反転排紙モード」の選択が不可能となる。それとともに、制御部１５０により、例えば表示部３００に、「反転排紙モード」の選択を禁止する旨の表示が行われる。すなわち、本発明の実施の形態においては、操作部４００は選択部に相当する。
【０１２２】
上記２ステップにより、汎用の記録媒体Ｐに比べて紙質が硬くフラップのある封筒Ｅに「両面印刷」や「反転排紙」を行うことで発生が予測されるジャム等のトラブルを未然に防止することができる。
【０１２３】
ステップＳ３０９で、制御部１５０により、定着ローラ６０１の定着温度が標準的な温度（例えば２００℃）に設定され、温度制御される。
【０１２４】
ステップＳ３１０で、クリーニングウェブ６１３の更新頻度が標準的な頻度、具体的には、クリーニングウェブ６１３のロールの巻き取り速度が標準的な速度に設定されて、図４のステップＳ３０「封筒用サブルーチン」に戻る。上述した各ステップにより、周辺部材１８０、封筒用定着部６１０内部および画像形成装置１０の各状態が、封筒用定着部６１０に適した状態に切り替えられたことになる。
【０１２５】
次に、ステップＳ４０「葉書用サブルーチン」について、図９および図１０を用いて説明する。図９は、定着装置が交換されて、収納部に葉書用定着部が収納された場合の動作を示すフローチャートである。また、図１０は、葉書用定着部の構成と、周辺部材の状態とを示す模式図で、図１０（ａ）は記録媒体である葉書の印字面側から見た上面図、図１０（ｂ）は葉書の側面側から見た側面図、図１０（ｃ）は下側進入ガイドの形状を示す模式図である。
【０１２６】
まず、葉書用定着部６２０の構成について、図１０を用いて説明する。
【０１２７】
図１０において、葉書用定着部６２０は、記録媒体Ｐとしての葉書ＰＣの印字面ＰＣａ上に形成されたトナー像Ｔの定着に用いられる専用の定着装置であり、一対の定着ローラ６２１、クリーニングウェブ６２３、排出ガイド６２４、下側導入板６２５、上側導入板６２６および導入爪車６２７等で構成されている。葉書用定着部６２０の仕様は、一対の定着ローラ６２１の形状、数および配置によって決定される。
【０１２８】
一対の定着ローラ６２１（６２１ａおよび６２１ｂ）は、葉書ＰＣの幅に合わせて、汎用定着部６００の定着ローラ６０１よりも短寸で、葉書ＰＣの搬送方向（矢印Ａ）中央に搬送方向（矢印Ａ）と直交する方向に配置されている。定着ローラ６２１ａと６２１ｂとのニップ圧は、汎用の記録媒体Ｐに比べて紙が厚くて硬い葉書ＰＣに合わせて、汎用定着部６００の定着ローラ６０１のニップ圧よりも高いニップ圧（例えば、２００Ｎ）に設定されている。
【０１２９】
定着ローラ６２１ａには、クリーニングウェブ６２３が設けられている。クリーニングウェブ６２３は、図６で説明したクリーニングウェブ６０３と同じものである。
【０１３０】
排出ガイド６２４、下側導入板６２５、上側導入板６２６および導入爪車６２７は、図６で説明した汎用定着部６００の各々と同様のものである。
【０１３１】
図９において、図４のステップＳ０８で、収納部１７０に交換されて収納された定着装置が葉書用定着部６２０であると判断される（ステップＳ０８；Ｙｅｓ）と、ステップＳ４０「葉書用サブルーチン」で、周辺部材１８０、葉書用定着部６２０内部および画像形成装置１０の各状態が、葉書用定着部６２０に適した状態に切り替えられる。
【０１３２】
ステップＳ４０１からステップＳ４０６までは、周辺部材１８０の状態を葉書用定着部６２０に適した状態に切り替えるステップである。
【０１３３】
まず、ステップＳ４０１で、送風部材１８７の第１送風口１８７ｂの位置が、図３で説明した基準位置に切り替えられる。
【０１３４】
ステップＳ４０２で、制御部１５０によって、送風部材１８７の送風ファン１８７ａが停止状態に切り替えられ、送風部材１８７からの送風が停止される。葉書においては図１０（ａ）を見ても分かるように定着ローラ６２１の端部が中央部に比べて加熱されがちになることが少ない。そのため、送風ファン１８７ａを停止状態にすることにより不要な冷却を避けることができる。
【０１３５】
ステップＳ４０３で、下側進入ガイド１８１ａの形状が、図１０（ｃ）に示した中央部が突出する形状に切り替えられるとともに、その位置が、図３で説明した基準位置よりも葉書ＰＣの搬送路から遠い位置に切り替えられる。
【０１３６】
ステップＳ４０４で、爪車ガイド１８１ｃの位置が、図３で説明した基準位置よりも葉書ＰＣの搬送路に近い位置に切り替えられる。これによって、葉書ＰＣの搬送時に、葉書ＰＣが上側進入ガイド１８１ｂに当接する所謂腹ズリを防止することができる。
【０１３７】
ステップＳ４０５で、下流側ガイド部材１８３の間隔が、図３で説明した基準間隔に切り替えられる。
【０１３８】
ステップＳ４０６で、加圧部材１８５のニップが高ニップ圧（例えば、７０Ｎ）の状態へと切り替えられる。葉書は図６で示した一般の記録媒体Ｐよりもカールが大きく発生する傾向があり、このカールを適正に矯正するためにニップ圧が高い状態に切り替えられる。
【０１３９】
ステップＳ４０７からステップＳ４１０までは、葉書用定着部６２０内部および画像形成装置１０の各状態を葉書用定着部６２０に適した状態に切り替えるステップである。
【０１４０】
ステップＳ４０７で、制御部１５０により、画像形成装置１０の動作モードの内の「両面印刷モード」の選択を許容するように制御が切り替えられ、操作部４００を用いた「両面印刷モード」の選択が可能となる。
【０１４１】
続いて、ステップＳ４０８で、制御部１５０により、画像形成装置１０の動作モードの内の「反転排紙モード」の選択を許容するように制御が切り替えられ、操作部４００を用いた「反転排紙モード」の選択が可能となる。
【０１４２】
ステップＳ４０９で、制御部１５０により、定着ローラ６２１の定着温度が標準的な温度に設定され、温度制御される。
【０１４３】
ステップＳ４１０で、クリーニングウェブ６２３の更新頻度が標準的な頻度、具体的には、クリーニングウェブ６２３のロールの巻き取り速度が標準的な速度に設定されて、図４のステップＳ４０「葉書用サブルーチン」に戻る。上述した各ステップにより、周辺部材１８０、葉書用定着部６２０内部および画像形成装置１０の各状態が、葉書用定着部６２０に適した状態に切り替えられたことになる。
【０１４４】
次に、ステップＳ５０「立体コピー用サブルーチン」について、図１１および図１２を用いて説明する。図１１は、定着装置が交換されて、収納部に立体コピー用定着部が収納された場合の動作を示すフローチャートである。また、図１２は、立体コピー用定着部の構成と、周辺部材の状態とを示す模式図で、図１２（ａ）は記録媒体である立体コピー紙の印字面側から見た上面図、図１２（ｂ）は立体コピー紙の側面側から見た側面図、図１２（ｃ）は下側進入ガイドの形状を示す模式図である。
【０１４５】
ここで、立体コピーについて、簡単に説明する。立体コピーは、熱が加えられると瞬間的に体積が１００倍程度に膨張する熱膨張性マイクロカプセルが紙の表面に塗布された専用紙の上に、文字や画像等のトナー像を形成する。立体コピー専用の定着装置はトナー像を専用紙上に仮定着し、その後に専用紙を特殊な処理装置で加熱することで、トナーがついた部分の熱膨張性マイクロカプセルが熱を吸収し膨張して文字や画像が盛り上がり、文字や画像を立体的に複写することができるもので、例えば点字の文書等の作成に有効なものである。
【０１４６】
まず、立体コピー用定着部６３０の構成について、図１２を用いて説明する。
【０１４７】
図１２において、立体コピー用定着部６３０は、記録媒体Ｐとしての立体コピー紙ＳＰの印字面ＳＰａ上に形成されたトナー像Ｔの定着に用いられる専用の定着装置であり、二対の第１定着ローラ６３１および第２定着ローラ６３２、クリーニングウェブ６３３、排出ガイド６３４、下側導入板６３５、上側導入板６３６および導入爪車６３７等で構成されている。立体コピー用定着部６３０の仕様は、二対の第１定着ローラ６３１および第２定着ローラ６３２の形状、数および配置によって決定される。
【０１４８】
二対の第１定着ローラ６３１（６３１ａおよび６３１ｂ）および第２定着ローラ６３２（６３２ａおよび６３２ｂ）は、定着可能な立体コピー紙ＳＰの最大幅以上の長さを有し、立体コピー紙ＳＰの搬送方向（矢印Ａ）中央に搬送方向（矢印Ａ）と直交する方向に、直列に配置されている。
【０１４９】
第１定着ローラ６３１および第２定着ローラ６３２のニップ圧は、汎用定着部６００の定着ローラ６０１のニップ圧よりも低いニップ圧（例えば、１１５Ｎ）に設定されている。また、後述するように、制御部１５０によって、第１定着ローラ６３１および第２定着ローラ６３２の定着温度は、汎用定着部６００で用いられる基準温度（例えば２００℃）よりも低温度（例えば１５０℃）に設定され、制御される。この低温度制御によって、上述した熱膨張性マイクロカプセルに影響を与えることなくトナー像を形成することができる。
【０１５０】
立体コピー紙ＳＰの印字面ＳＰａ側にある第１定着ローラ６３１ａおよび第２定着ローラ６３２ａには、それぞれ、クリーニングウェブ６３３が設けられている。クリーニングウェブ６３３は、図６で説明したクリーニングウェブ６０３と同じものであるが、後述するように、制御部１５０によって、その更新頻度が高く設定され、制御される。
【０１５１】
排出ガイド６３４は、第１定着ローラ６３１および第２定着ローラ６３２で定着された立体コピー紙ＳＰを、立体コピー用定着部６３０から外部に排出するためのガイド板で、後述する下流側ガイド部材１８３の間隔と同様の広い間隔で配置された２枚の板で構成される。
【０１５２】
下側導入板６３５、上側導入板６３６および導入爪車６３７は、図６で説明した汎用定着部６００の各々と同様のものである。
【０１５３】
図１１において、図４のステップＳ０９で、収納部１７０に交換されて収納された定着装置が立体コピー用定着部６３０であると判断される（ステップＳ０９；Ｙｅｓ）と、ステップＳ５０「立体コピー用サブルーチン」で、周辺部材１８０、立体コピー用定着部６３０内部および画像形成装置１０の各状態が、立体コピー用定着部６３０に適した状態に切り替えられる。
【０１５４】
ステップＳ５０１からステップＳ５０６までは、周辺部材１８０の状態を立体コピー用定着部６３０に適した状態に切り替えるステップである。
【０１５５】
まず、ステップＳ５０１で、送風部材１８７の第１送風口１８７ｂの位置が、図１２（ａ）に示した第１定着ローラ６３１の両端部の上に開口する位置に切り替えられる。それとともに、第２送風口１８７ｃの位置が、第２定着ローラ６３２の両端部の上に開口する位置に切り替えられ、送風ダクト１８７ｄに設けられた図示しないシャッタが開口される。これによって、第２定着ローラ６３２の両端部にも送風可能となる。
【０１５６】
ステップＳ５０２で、制御部１５０によって、送風部材１８７の送風ファン１８７ａが送風状態に切り替えられて、第１定着ローラ６３１の両端部と第２定着ローラ６３２の両端部との両方に、送風が開始される。
【０１５７】
ステップＳ５０３で、下側進入ガイド１８１ａの形状が、図１２（ｃ）に示した中央部が突出する形状に切り替えられるとともに、その位置が、図３で説明した基準位置に切り替えられる。
【０１５８】
ステップＳ５０４で、爪車ガイド１８１ｃの位置が、図３で説明した基準位置よりも立体コピー紙ＳＰの搬送路から遠い位置に切り替えられる。これによって、立体コピー紙ＳＰの搬送時に、立体コピー紙ＳＰ上のトナー像Ｔに爪車ガイド１８１ｃによる引っかき傷がつくことを防止することができる。
【０１５９】
ステップＳ５０５で、下流側ガイド部材１８３の間隔が、図３で説明した基準間隔よりも広い間隔に切り替えられる。これによって、立体コピー紙ＳＰの搬送時に立体コピー紙ＳＰが下流側ガイド部材１８３に接触することが低減され、立体コピー紙ＳＰの表面に傷がつくことを防止することができる。
【０１６０】
ステップＳ５０６で、加圧部材１８５のニップが解除、あるいは低ニップ圧（例えば、２５Ｎ）の状態へと切り替えられる。これによって、立体コピー紙ＳＰ上の熱膨張性マイクロカプセルへの影響を防止することができる。
【０１６１】
ステップＳ５０７からステップＳ５１０までは、立体コピー用定着部６３０内部および画像形成装置１０の各状態を立体コピー用定着部６３０に適した状態に切り替えるステップである。
【０１６２】
ステップＳ５０７で、制御部１５０により、画像形成装置１０の動作モードの内の「両面印刷モード」の選択を禁止するように制御が切り替えられ、操作部４００を用いた「両面印刷モード」の選択が不可能となる。それとともに、制御部１５０により、例えば表示部３００に、「両面印刷モード」の選択を禁止する旨の表示が行われる。
【０１６３】
続いて、ステップＳ５０８で、制御部１５０により、画像形成装置１０の動作モードの内の「反転排紙モード」の選択を禁止するように制御が切り替えられ、操作部４００を用いた「反転排紙モード」の選択が不可能となる。それとともに、制御部１５０により、例えば表示部３００に、「反転排紙モード」の選択を禁止する旨の表示が行われる。
【０１６４】
ステップＳ５０９で、制御部１５０により、第１定着ローラ６３１および第２定着ローラ６３２の定着温度が、汎用定着部６００の基準温度（例えば２００℃）よりも低い温度（例えば１５０℃）に設定され、温度制御される。
【０１６５】
ステップＳ５１０で、クリーニングウェブ６３３の更新頻度が高頻度、具体的には、クリーニングウェブ６３３のロールの巻き取り速度が高速度に設定される。これにより、低温度制御によって、定着ローラに通常よりも多く付着するトナーを遅滞なく清掃することができる。以上の各ステップを終了し、図４のステップＳ５０「立体コピー用サブルーチン」に戻る。上述した各ステップにより、周辺部材１８０、立体コピー用定着部６３０内部および画像形成装置１０の各状態が、立体コピー用定着部６３０に適した状態に切り替えられたことになる。
【０１６６】
次に、リンク機構による周辺部材の形状や位置の切り替え方法の一例について、図１３および図１４を用いて説明する。図１３は、リンク機構による下側進入ガイドの形状切り替え方法の一例を示す模式図で、図１３（ａ）は形状切り替え前の上面図、図１３（ｂ）は形状切り替え前の側面図、図１３（ｃ）は形状切り替え後の側面図である。
【０１６７】
図１３（ａ）および（ｂ）において、下側進入ガイド１８１ａは、２枚のガイド板ＬＰとＲＰとが結合部ＪＴで軸によって結合されて構成されている。ガイド板ＲＰの端部には、係合部ＰＪが設けられている。
【０１６８】
下側進入ガイド１８１ａの結合部ＪＴには、例えばコイルスプリング等が組み込まれており、結合部ＪＴを中心に、結合部ＪＴが図の上に凸となる方向に付勢されている。図では、この付勢力を、仮想のバネＳＰとして模式的に示してある。
【０１６９】
ガイド板ＬＰの端部ＬＰＥは、図示しない収納部１７０に設けられた固定部ＢＳによって、図示しない収納部１７０に固定されている。
【０１７０】
ここで、図示しない収納部１７０に、封筒用定着部６１０が矢印Ｒ方向に取り付けられるとする。図２（ｃ）に示したように、封筒用定着部６１０には種類判別板６１９が設けられている。
【０１７１】
図１３（ｃ）において、封筒用定着部６１０が矢印Ｒ方向に取り付けられると、種類判別板６１９がガイド板ＲＰの端部の係合部ＰＪに係合し、係合部ＰＪを介して、ガイド板ＲＰを、仮想のバネＳＰの付勢力に抗して、矢印Ｒ方向に移動させる。
【０１７２】
結果として、結合部ＪＴが図の下方に押し下げられ、下側進入ガイド１８１ａは、図３（ｄ）に示したと同じ平坦な形状となる。このようにして、リンク機構による下側進入ガイドの形状切り替えが行われる。
【０１７３】
図１４も、リンク機構による下側進入ガイドの形状切り替え方法の他の例を示す模式図で、図１３（ａ）は形状切り替え前の斜視図、図１３（ｂ）は形状切り替え前の側面図、図１３（ｃ）は形状切り替え後の側面図である。
【０１７４】
図１４（ａ）および（ｂ）において、下側進入ガイド１８１ａは、固定ガイド板ＰＬ１と可動ガイド板ＰＬ２とで構成される。固定ガイド板ＰＬ１はＬ字型の固定板で、その上面ＰＬ１１は平面である。可動ガイド板ＰＬ２は、駆動軸ＳＨの周りに回動可能に取り付けられ、その表面は、曲面部ＰＬ２１と平面部ＰＬ２２とが接続された形状である。
【０１７５】
駆動軸ＳＨの一端には係合部ＰＪが設けられ、係合部ＰＪは、バネＳＰによって図の上向きに付勢されている。また、図示しない収納部１７０に固定された回転止めＳＴによって、水平よりも上向きに回転しないように係止されている。
【０１７６】
従って、図１４（ｂ）に示すように、形状切り替え前の下側進入ガイド１８１ａの両端は固定ガイド板ＰＬ１の上面ＰＬ１１によって平面となっている。一方、下側進入ガイド１８１ａの中央部は、可動ガイド板ＰＬ２の曲面部ＰＬ２１が、固定ガイド板ＰＬ１の上面ＰＬ１１よりも突出している。これによって、下側進入ガイド１８１ａは、中央部が凸の形状となっている。
【０１７７】
ここで、図示しない収納部１７０に、封筒用定着部６１０が矢印Ｒ方向に取り付けられるとする。ここでは、封筒用定着部６１０に設けられた種類判別板６１９は、くさび形をしており、封筒用定着部６１０が矢印Ｒ方向に移動するにつれて、係合部ＰＪを図の下向きに回動させ、駆動軸ＳＨを図の反時計回りに回動させる。
【０１７８】
これによって、図１４（ｃ）に示すように、下側進入ガイド１８１ａの中央部は、可動ガイド板ＰＬ２の曲面部ＰＬ２１から平面部ＰＬ２２に切り替わり、下側進入ガイド１８１ａは、固定ガイド板ＰＬ１の上面ＰＬ１１と同じ高さの平面形状となる。このようにして、リンク機構による下側進入ガイドの形状切り替えが行われる。
【０１７９】
上述したように、本発明の実施の形態によれば、収納部と、収納部の周辺に配置された周辺部材とを備え、収納部は、汎用定着部、封筒用定着部、葉書用定着部および立体コピー用定着部等の複数の定着装置を交換して収納可能であり、収納部に収納された定着装置が交換された場合、交換された定着装置の仕様に従って周辺部材、交換された定着装置内部および画像形成装置の各状態を切り替えることで、交換された定着装置の特性を十分に発揮させることができるとともに、定着装置の交換の作業性を向上させることのできる画像形成装置および画像形成システムを提供することができる。
【０１８０】
以上に述べたように、本発明によれば、トナー画像を定着する第１定着装置と、第１定着装置を収納する収納部と、収納部の周辺に配置された周辺部材とを備え、収納部は、第１定着装置と、第１定着装置とは異なる仕様の第２定着装置とを交換して収納可能であり、収納部に収納された第１定着装置が第２定着装置に交換された場合、第２定着装置の仕様に従って周辺部材の状態を切り替えることで、専用定着装置の特性を十分に発揮させることができるとともに、定着装置の交換の作業性を向上させることのできる画像形成装置および画像形成システムを提供することができる。
【０１８１】
また、本発明によれば、トナー画像を定着する第１定着装置と、第１定着装置を収納する収納部とを備え、収納部は、第１定着装置と、第１定着装置とは異なる仕様の第２定着装置とを交換して収納可能であり、収納部に収納された第１定着装置が第２定着装置に交換された場合、第２定着装置の仕様に従って画像形成装置の動作状態を制御する制御部を備えたことで、専用定着装置の特性を十分に発揮させることができるとともに、定着装置の交換の作業性を向上させることのできる画像形成装置および画像形成システムを提供することができる。
【０１８２】
なお、本発明に係る画像形成装置および画像形成システムを構成する各構成の細部構成および細部動作に関しては、本発明の趣旨を逸脱することのない範囲で適宜変更可能である。
【符号の説明】
【０１８３】
１  画像形成システム
１０  画像形成装置
１００  筐体
１１０  画像形成部
１２０  記録媒体搬送部
１３０  第１定着装置
１４０  記録媒体排出部
１５０  制御部
１６０  電源部
１７０  収納部
１７１  ガイドレール
１７２  検知部
１７２ａ  交換センサ
１７２ｂ  種類センサ
１８０  周辺部材
１８１  上流側ガイド部材
１８１ａ  下側進入ガイド
１８１ｂ  上側進入ガイド
１８１ｃ  爪車ガイド
１８３  下流側ガイド部材
１８５  加圧部材
１８７  送風部材
１８７ａ  送風ファン
１８７ｂ  第１送風口
１８７ｃ  第２送風口
１８７ｄ  送風ダクト
１９０  第２定着装置
２００  画像読取部
３００  表示部
４００  操作部
５００  インターフェース部（Ｉ／Ｆ部）
６００  汎用定着部
６０１  定着ローラ
６０３  クリーニングウェブ
６０４  排出ガイド
６０５  下側導入板
６０６  上側導入板
６０７  導入爪車
６１０  封筒用定着部
６１１  第１定着ローラ
６１２  第２定着ローラ
６１３  クリーニングウェブ
６１４  排出ガイド
６１５  下側導入板
６１６  上側導入板
６１７  導入爪車
６１９  種類判別板
６２０  葉書用定着部
６２１  定着ローラ
６２３  クリーニングウェブ
６２４  排出ガイド
６２５  下側導入板
６２６  上側導入板
６２７  導入爪車
６３０  立体コピー用定着部
６３１  第１定着ローラ
６３２  第２定着ローラ
６３３  クリーニングウェブ
６３４  排出ガイド
６３５  下側導入板
６３６  上側導入板
６３７  導入爪車
Ｐ  記録媒体
Ｐａ  印字面
Ｔ  トナー像
Ｅ  封筒
Ｅａ  印字面
ＰＣ  葉書
ＰＣａ  印字面
ＳＰ  立体コピー紙
ＳＰａ  印字面
【図１】
2012068560.tif 000003
【図２】
2012068560.tif 000004
【図３】
2012068560.tif 000005
【図４】
2012068560.tif 000006
【図５】
2012068560.tif 000007
【図６】
2012068560.tif 000008
【図７】
2012068560.tif 000009
【図８】
2012068560.tif 000010
【図９】
2012068560.tif 000011
【図１０】
2012068560.tif 000012
【図１１】
2012068560.tif 000013
【図１２】
2012068560.tif 000014
【図１３】
2012068560.tif 000015
【図１４】
2012068560.tif 000016